【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
情報処理装置内に設けられたメモリスロットに挿入されたメモリをそのメモリと取り付けベースとの間にはめ込んだメモリ固定装置により固定する情報処理装置のメモリ固定構造であって、
前記メモリ固定装置は、前記メモリスロットに挿入されたメモリの挿入端面とは反対側の非挿入端面に密着するリブ状の壁部および弾性を有する一対の脚状の支持部を有し、
前記メモリ固定装置を前記メモリスロットに挿入されたメモリの挿入端面とは反対側の非挿入端面と当該メモリ固定装置を取り付ける取り付けベースとの間にはめ込み、当該メモリ固定装置をはめ込んだ状態では前記一対の支持部が前記取り付けベースに弾性をもって当接することにより前記リブ状の壁部が前記メモリの非挿入端面を付勢した状態で密着し、
前記メモリ固定装置のリブ状の壁部がメモリの非挿入端面を付勢した状態でそのメモリ固定装置を前記取り付けベースに固定し、取り付けたことを特徴とする情報処理装置のメモリ固定構造。
【手続補正２】
【補正対象書類名】明細書
【補正対象項目名】全文
【補正方法】変更
【補正の内容】
【発明の詳細な説明】
【発明の名称】情報処理装置のメモリ固定構造
【技術分野】
【０００１】
本発明は、ノートパソコンのような携帯型の情報処理装置（以下、総称してノートパソコンという）の内部にメモリを固定するメモリ固定構造に関するものである。
【背景技術】
【０００２】
近年、ノートパソコンはその携帯性のために屋外に持ち出す機会も多い。従って軽量、コンパクト以外にも堅牢性も要求される。ノートパソコンを誤って床に落下させたり、ノートパソコンの長期にわたる繰り返しの振動でも正しく動作するといったことも重要な要件なる。
【０００３】
以下に、一般に良く知られている従来のノートパソコンにおいて、メモリを固定する取り付け手順について説明する。
【０００４】
図４はメモリを取り付ける手順を示した図である。
【０００５】
１１はパソコンのメモリ、ＲＡＭ（増設用メモリ、ＤＩＭＭとも言う。以下、ＤＩＭＭと称す。：Ｄｕａｌ  Ｉｎｌｉｎｅ  Ｍｅｍｏｒｙ  Ｍｏｄｕｌｅ）であり、一般にはノートパソコン本体の筐体裏面に着脱可能な蓋があり、これを取り外すことでＤＩＭＭ１１の取り付け、取り外しが可能である。１２はメモリスロット、１３はスロットレバーである。図４（ａ）のようにＤＩＭＭ１１をメモリスロット１２の方向（矢印の方向）に向かって移動させ、その電極をメモリスロット１２に挿入する。ＤＩＭＭ１１の挿入後、スロットレバー１３を図４（ｂ）の矢印方向に移動し、スロットレバー１３の先端突起部分１４を図４（ｃ）に示すようにＤＩＭＭ１１の窪み１５に嵌合ロックさせ、ＤＩＭＭ１１を動かないように押さえつけて固定する。
【特許文献１】特開２００２−２４７７０号公報
【特許文献２】特開２００５−２９３９９０号公報
【発明の開示】
【発明が解決しようとする課題】
【０００６】
しかしながら上記の従来の構成では、ＤＩＭＭが実装された状態でノートパソコンを誤って落下させてしまった場合、その衝撃でＤＩＭＭ１１がメモリスロット１２から外れてしまう。また長時間にわたり繰り返し振動を受ける結果、やはりＤＩＭＭ１１がスロット１２から抜け落ちてしまうこともあり得る。この時ノートパソコンは電源をオンしても正しく動作しない。ノートパソコンの場合、移動したり屋外に持ち出す機会も多くなり、このような事故は充分あり得ることである。
【０００７】
図５はノートパソコンを誤って落下させてしまった場合、また、長期にわたり繰り返し振動を受ける結果、ＤＩＭＭ１１がメモリスロット１２から抜け落ちてしまう過程を示した図である。
【０００８】
実際の落下テストの結果、図５に示すような過程でＤＩＭＭ１１はスロットレバー１３の先端突起部分１４とＤＩＭＭ１１の窪み１５で構成したロック機構が図５（ｂ）のようにはずれて、図５（ｃ）のようにＤＩＭＭ１１がメモリスロット１２から抜け落ちることがあった。
【０００９】
この対応策として図６（ａ）に示すように、ＤＩＭＭ固定装置１６２を新たに設け、これをネジ１７によりノートパソコンのフレームまたは筐体に形成した取り付けベースに固定した。（図面手前が取り付けベース、ネジ１７は図面裏側から上方に向かって挿入し、締め付ける。）これによりＤＩＭＭ１１が脱落する方向（矢印）とは逆方向にＤＩＭＭ１１端面をＤＩＭＭ固定装置１６２の壁部Ａで支えるため、衝撃、振動でＤＩＭＭ１１がメモリスロット１２から抜け落ちることはなくなる。
【００１０】
しかしながら上記の従来の構成では、ＤＩＭＭ固定装置１６２の取り付け精度によっては図６（ｂ）のようにＤＩＭＭ１１の端面とＤＩＭＭ固定装置１６２の壁部Ａとの間に間隙（対向する矢印で図示）ができてしまう。同様に、ＤＩＭＭ固定装置１６２の取り付け精度によっては図６（ｃ）のようにＤＩＭＭ１１に対してＤＩＭＭ固定装置１６２が傾いた状態（対向する矢印で図示）で取り付けられてしまう。これはネジ１７とネジ穴（図示せず）の位置のバラツキを吸収するためにＤＩＭＭ固定装置１６２のネジ１７を通す穴を広くとっていることにも起因する。
【００１１】
このように、ＤＩＭＭ１１端面とＤＩＭＭ固定装置１６２の壁部Ａとの間に間隙ができたり、傾いた状態で取り付けられる間隙により、ノートパソコンを誤って落下させてしまった場合、また、ノートパソコンが長期にわたり受ける繰り返し振動の結果、その衝撃によりＤＩＭＭ１１端面が間隙を移動しながらＤＩＭＭ固定装置１６２の壁部Ａを叩くようにして間隙を徐々に広げ、ネジ１７が緩んでしまう結果、ＤＩＭＭ固定装置１６２が外れてしまう。
【００１２】
本発明は上記従来の問題点を解決するもので、簡単な構成でＤＩＭＭ固定装置の取り付け精度を向上するＤＩＭＭ固定構造を提供することを目的とする。
【課題を解決するための手段】
【００１３】
本発明は、情報処理装置内に設けられたメモリスロットに挿入されたメモリをそのメモリと取り付けベースとの間にはめ込んだメモリ固定装置により固定する情報処理装置のメモリ固定構造であって、前記メモリ固定装置は、前記メモリスロットに挿入されたメモリの挿入端面とは反対側の非挿入端面に密着するリブ状の壁部および弾性を有する一対の脚状の支持部を有し、前記メモリ固定装置を前記メモリスロットに挿入されたメモリの挿入端面とは反対側の非挿入端面と当該メモリ固定装置を取り付ける取り付けベースとの間にはめ込み、当該メモリ固定装置をはめ込んだ状態では前記一対の支持部が前記取り付けベースに弾性をもって当接することにより前記リブ状の壁部が前記メモリの非挿入端面を付勢した状態で密着し、前記メモリ固定装置のリブ状の壁部がメモリの非挿入端面を付勢した状態でそのメモリ固定装置を前記取り付けベースに固定し、取り付けたことを特徴とする情報処理装置のメモリ固定構造であり、ＤＩＭＭおよびＤＩＭＭ関連部品の寸法バラツキを吸収し、簡単な構成でＤＩＭＭ固定装置の取り付け精度を向上することができ、情報処理装置を誤って落下させてしまった場合、また、長期にわたり繰り返し振動を受けてもＤＩＭＭがメモリスロットから抜け落ちることがなくなる。
【発明の効果】
【００１４】
以上のように本発明のＤＩＭＭ固定構造は、ＤＩＭＭおよびＤＩＭＭ関連部品の寸法バラツキを吸収し、簡単な構成でＤＩＭＭ固定装置の取り付け精度を向上することができ、情報処理装置を誤って落下させてしまった場合、また、長期にわたり繰り返し振動を受けても、ＤＩＭＭがスロットから抜け落ちてしまうことがないという優れた効果が得られる。
【発明を実施するための最良の形態】
【００１５】
以下、本発明の実施の形態について、図１から図３を用いて説明する。
【００１６】
（実施の形態１）
図１は本発明の実施の形態１におけるＤＩＭＭ固定構造の平面図（ａ）と斜視図（ｂ）である。
【００１７】
図１において、１６１は本発明のＤＩＭＭ固定装置であり、そのＤＩＭＭ固定装置１６１のＡはＤＩＭＭが抜け落ちる方向とは逆にＤＩＭＭの端面、すなわちＤＩＭＭ１１の挿入端面とは反対側の非挿入端面を付勢することで押しつけて支持するリブ状に成型した壁部、Ｂは重ねてＤＩＭＭをメモリスロットに挿入する場合を想定して形成された壁部である。なお、図２ではＤＩＭＭを２個重ねて取り付けた場合の状態を示している。
【００１８】
ＣはＤＩＭＭ固定装置１６１をＤＩＭＭ１１の端面に向かって押す一対の支持部であり、ＤＩＭＭ固定装置１６１を形成する成型品の弾性性質を利用して支持部Ｃの弾性構造により、取り付けベース部（後述）を基礎に壁部Ａが常にＤＩＭＭ１１の端面を付勢するように作用し、壁部ＡがＤＩＭＭ１１の端面を押した状態で密着してバランスを保つ。一対の支持部Ｃは左右対称、同一厚み、同一材質であるのでリブ状の壁部ＡがＤＩＭＭの端面を付勢した状態で密着してバランスを保つことができる。
【００１９】
ＤはＤＩＭＭ固定装置１６１を固定するネジを通すネジ穴である。
【００２０】
ＤＩＭＭ固定装置１６１は非導電性で、一対の支持部Ｃを考慮して割れにくい弾性性質のある樹脂材で一体成型されることが望ましい。
【００２１】
図２は２個のメモリスロットにＤＩＭＭを２個重ねて取り付けた場合の側面図である。１１−１，１１−２はＤＩＭＭ、１２−１，１２−２はメモリスロット、１７は取り付けベース２０にＤＩＭＭ固定装置１６１を固定するネジである。
【００２２】
なお、本実施の形態では１個のＤＩＭＭで説明し、ＤＩＭＭ１１−２、メモリスロット１２−２についての説明は省略する。
【００２３】
また、図１のＤＩＭＭ固定装置１６１は図２の下方から見た図、つまり取り付けベース側から見た図を示し、図５〜図６および後述の図３〜図４も同様に取り付けベース側から見た図を示す。
【００２４】
図３はＤＩＭＭ固定装置１６１の取り付け手順を示した図である。
【００２５】
図３において２０はＤＩＭＭ１１，メモリスロット１２、ＤＩＭＭ固定装置１６１等を取り付ける取り付けベースである。
【００２６】
以上のように構成されたＤＩＭＭ固定装置ついて、図１〜図３を用いてその詳細を説明する。
【００２７】
図３において、ＤＩＭＭ１１をスロット１２に挿入する（ａ）。次に少しＤＩＭＭ固定装置１６１の一対の支持部Ｃをその弾性に抗して図３（ｂ）のように紙面上方に押し上げるように（図１の点線で示す支持部を参照）押し縮めた状態でＤＩＭＭ固定装置１６１をＤＩＭＭ１１と取り付けベース２０の間にはめ込む。この状態では一対の支持部Ｃの弾性構造と取り付けベース２０とにより壁部ＡがＤＩＭＭ１１の端面を押した状態で密着し、また一対の支持部Ｃの左右対称、同一厚み、同一材質によるバランス作用によってＤＩＭＭ固定装置１６１が傾くことのない状態でバランスを保つために、ＤＩＭＭ１１の端面とＤＩＭＭ固定装置１６１のリブ状の壁部Ａとは密着して保持され、図６（ｂ）（ｃ）のような間隙、傾きはできない。
【００２８】
この状態において、取り付けベース２０に対してネジ１７を図の裏面側からＤＩＭＭ固定装置１６１のネジ穴Ｄに挿入し、締め付ける。このような手順によってＤＩＭＭ固定装置１６１をその一対の支持部Ｃの弾性力によりリブ状の壁部Ａがメモリスロットに挿入されたＤＩＭＭ１１の挿入端面とは反対側の非挿入端面を付勢した状態で取り付けベース２０に固定することで、図３（ｃ）に示すように間隙、傾き、ガタのないＤＩＭＭ１１の固定と、ＤＩＭＭ固定装置１６１の取り付けが完了する。
【００２９】
以上のように本実施の形態によれば、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、また、長期にわたり繰り返し振動を受けても、ＤＩＭＭがメモリスロットから抜け落ちてしまうことのないＤＩＭＭ固定構造を提供することができる。
【００３０】
なお、また、ＤＩＭＭ固定装置は非導電性で、支持部Ｃを考慮して割れにくい弾性性質のある樹脂材で一体成型されることが望ましいとしたが、鋼のような弾性性質を有する金属と絶縁物による構成の複合部品でもＤＩＭＭ固定装置１６１と同様の構成も可能である。
【００３１】
弾性性質のある樹脂材で一体成型しなくとも、支持部Ｃだけを割れにくい弾性部材で構成してもよい。
【００３２】
また、非導電性でなくても、電気的に短絡することを防止する構成であればこれにかぎるものではない。
【００３３】
また、本実施の形態において、ＤＩＭＭ固定装置１６１のような形状、構成でなくてもＤＩＭＭ固定装置とＤＩＭＭの端面との間を間隙なく、バランスを保ってＤＩＭＭを付勢状態のままネジ固定できればこのような構成に限るものではないことは言うまでもない。
【産業上の利用可能性】
【００３４】
本発明にかかるメモリ（ＤＩＭＭ）固定構造は、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、また、長期にわたり繰り返し振動を受けても、ＤＩＭＭがメモリスロットから抜け落ちてしまうことがないという優れた効果を有し、ノートパソコンのような携帯型の情報処理装置の内部にメモリを取り付けた後、これを固定するメモリ固定構造として有用である。
【図面の簡単な説明】
【００３５】
【図１】本発明の実施の形態１におけるＤＩＭＭ固定構造の（ａ）平面図（ｂ）斜視図
【図２】２個のメモリスロットにＤＩＭＭを２個重ねて取り付けた場合の側面図
【図３】本発明のＤＩＭＭ固定構造の取り付け手順を示した図
【図４】ＤＩＭＭの取り付ける手順を示した図
【図５】ＤＩＭＭがスロットから抜け落ちてしまう過程を示した図
【図６】従来のＤＩＭＭ固定装置を新たに設けた図
【符号の説明】
【００３６】
１１  メモリ（ＤＩＭＭ）
１２  メモリスロット
１３  スロットレバー
１４  スロットレバーの先端突起部分
１５  ＤＩＭＭの窪み
１６１，１６２  ＤＩＭＭ固定装置
１７  ネジ
２０  取り付けベース
Ａ、Ｂ  壁部
Ｃ  支持部
Ｄ  ネジ穴